(57)【要約】      （修正有）【課題】地震避難用の椅子を提供する。【解決手段】左右一対の脚フレーム（２）の脚ａ（３）を両肩に載せて支点（６）を設けて、両脇を絞めて両手で胸の前で脚ａ（３）を取っ手にして力点（８）を設けて、座部（１２）の裏側を後頭部に押しあてる作用点（７）を設け、脚部（１３）の裏側と頭の間に空間を設けるように、合板を曲げた脚フレーム（２）に座部（１２）と脚部（１３）に合板のシート（１）をＬ字型に接着剤で固定した地震避難用の椅子である。【選択図】図１
2008206934.tif 000002
【特許請求の範囲】
【請求項１】
両肩もしくは両腕上腕に載せた脚フレームを、尾側の前側で前腕もしくは手で支持して、座部の裏側を後頭部にあてて脚部と頭の間に空間を設けてシートを取り付けた地震避難用の椅子。
【請求項２】
請求項１記載の地震避難用の椅子において、シートもしくは脚フレームに背もたれを設けた地震避難用の椅子。
【請求項３】
請求項１もしくは請求項２記載の地震避難用の椅子において、脚フレームにシートを支持する支柱を設けた地震避難用の椅子。
【請求項４】
請求項１もしくは請求項２記載の地震避難用の椅子において、脚フレームにシートを支持するフレームを設けた地震避難用の椅子。
【請求項５】
請求項３記載の地震避難用の椅子において、支柱に後頭部をあてて脚部と頭の間に空間を設けてシートを取り付けた地震避難用の椅子。
【請求項６】
シートと頭の間に緩衝材を設けた、請求項１から５のいずれかに記載の地震避難用の椅子。
【請求項７】
両肩もしくは両腕上腕に載せた肘掛けを尾側の前側で前腕もしくは手で支持して、背もたれの表側を後頭部にあてて、座部と頭の間に空間を設けて座椅子を取り付けた地震避難用の椅子。
【発明の詳細な説明】
【技術分野】
【０００１】本発明は、椅子をテコにして身体に装着してシートと頭の間に空間を設けた地震避難用の椅子に関するものである。
【背景技術】
【０００２】従来、椅子は座部と背もたれとからなるシートに脚を設け、人が座るためのものである。また、落下物から身を守る道具として頭にかぶるヘルメットや防災頭巾がある。
【発明の開示】
【発明が解決しようとする課題】
【０００３】これは、次のような欠点がありました。地震で倒れて散乱した椅子は避難を妨げる障害物になってしまいます。また地震の予知がされて避難する時、多くの場所では落下物から身を守るためのヘルメットや防災頭巾が用意されていません。また子供やペットを連れて避難する場合、子供やペットを抱いた状態で落下物から身を守るためのものがありません。本発明は以上のような欠点をなくすためになされたものである。
【課題を解決するための手段】
【０００４】両肩もしくは両腕上腕に載せた脚フレームにシートを設けた椅子をテコにして身体に装着してシートと頭の間に空間を設ける。【０００５】両肩もしくは両腕上腕に載せた肘掛けに座椅子を設けた肘掛け付きの座椅子をテコにして身体に装着してシートと頭の間に空間を設ける。本発明は以上の構成よりなる地震避難用の椅子である。
【発明の効果】
【０００６】この地震避難用の椅子は、いろいろな場所に設置することができ、地震で避難する時に倒れて障害物になってしまった椅子を使って落下物から身体を守り、ダメージを受け易い頭や首を守り、前腕と手で子供やペットを抱きかかえて守りながら避難することができる。また避難した場所では椅子として使うことができる。
【発明を実施するための最良の形態】
【実施例１】
【０００７】図１、２に示した実施例では、左右一対の脚フレーム（２）の脚ａ（３）を両肩に載せて支点（６）を設けて、両脇を絞めて両手で胸の前で脚ａ（３）を取っ手にして力点（８）を設けて、座部（１２）の裏側を後頭部に押しあてる作用点（７）を設け、脚部（１３）の裏側と頭の間に空間を設けるように、合板を曲げた脚フレーム（２）に座部（１２）と脚部（１３）に合板のシート（１）をＬ字型に接着剤で固定した地震避難用の椅子である。
【実施例２】
【０００８】図３、４に示した実施例では、左右一対の脚フレーム（２）の脚ａ（３）を両肩に載せて支点（６）を設けて、両脇を絞めて両手で胸の前で脚ａ（３）を取っ手にして力点（８）を設ける。その時、子供やペットを抱きかかえる時は前腕を脚ａ（３）の外側から載せて力点（８）を設けて、座部（１２）の裏側を後頭部に押しあてて作用点（７）を設け脚部（１３）の裏側と頭の間に空間を設けるように、１枚の合板を曲げて脚部（１４）と座部（１２）をＬ字型にして背もたれ（１１）を設け、左右一対の鉄パイプの脚フレーム（２）に鉄板にネジ穴を開けた複数本の支柱（１５）を熔接してシート（１）をネジ（１６）で取り付けた地震避難用の椅子である。
【実施例３】
【０００９】図５に示した実施例では、Ｌ字型の座部（１２）と脚部（１３）に背もたれ（１１）を合成樹脂で成形している。この合成樹脂としては、ＰＰ（ポリプロピレン）やバイオプラスチック等を用いる。またウレタンフォームを積層してクロスやレザーで外面を覆うこともできる。鉄パイプの脚フレーム（２）に鉄板にネジ穴を設けた支柱（１５）を熔接して、シート（１）をネジ（１６）で取り付ける。
【実施例４】
【００１０】図６に示した実施例では、１枚の合板を曲げてＬ字型の座部（１２）と脚部（１３）を設け、左右一対のアルミパイプの脚フレーム（２）に、アルミ板の支柱（１５）とアルミパイプの背もたれ（１１）を、シート（１）をネジ（１６）で取り付けるフレームとして熔接して固定する。その時、座部（１２）の裏側を後頭部にあてて、背もたれ（１１）のフレームを肩甲部にあてる。
【実施例５】
【００１１】図７に示した実施例では、脚フレーム（２）の左右２本の脚ａ（３）を両腕上腕に載せて支点（６）を設け、前腕を脚ａ（３）の外側から上に載せて力点（８）を設け、前腕と手を使って両肩下側の尾側の前側で子供やペットを抱きかかえる。
【実施例６】
【００１２】図８に示した実施例では、シート（１）を取り付ける支柱（１５）もしくはフレームにネジ（１６）でスポンジや発砲ウレタンやゴム等の緩衝材（９）を接着剤で取り付けて、後頭部にやさしく押し当てることができる。
【実施例７】
【００１３】図９、図１６に示した実施例では、シート（１）の裏側にスポンジや布や紙や軟質プラスチック等の緩衝材（９）を接着剤やネジで取り付ける。これらは穴や隙間をあけて軽量化して成形したアルミや合板のシートではガラスの破片などの細かな落下物を通さなくする。また身体との接地箇所を増やして装着したときに安定する。
【実施例８】
【００１４】図１０に示した実施例は、脚フレーム（２）にＬ字型のシート（１）を取り付けた状態をプラスチックで一体成形したものである。
【実施例９】
【００１５】図１１、１２に示した実施例では、左右一対の肘掛け（１４）を両肩に載せて支点（６）を設けて両脇を絞めて手で胸の前で肘掛け（１４）を取っ手にして力点（８）を設けて、背もたれ（１１）の表側を後頭部に押しあてる作用点（７）を設け、座部（１２）と頭の間に空間を設ける。一枚の合板を曲げて成形した座椅子（５）に、一本のアルミパイプを曲げて背もたれ（１１）の背面を通り肘掛け（１４）になるように座部（１２）の裏側にネジ（１６）で取り付ける。
【実施例１０】
【００１６】図１３に示した実施例では、一本のチタンの棒材を曲げて脚フレーム（２）と背もたれ（１１）を設けて、合板のシート（１）をＬ字型に曲げて、座部（１２）と脚部（１３）に、ネジ穴を設けた支柱（１５）を熔接してネジ（１６）で取り付ける。
【実施例１１】
【００１７】図１４に示した実施例では、一本の鉄パイプを曲げて脚ａ（３）と背もたれ（１１）を設けて、ツキ板でＬ字型のシート（１）に木製の脚ｂ（４）を設けて脚ａ（３）に熔接した支柱（１５）にネジ（１６）で取り付ける。
【実施例１２】
【００１８】図１５に示した実施例では、左右一対の木製の脚フレーム（２）とシート（１）を支持する木製の支柱（１５）に後頭部を押し付ける力点（８）を設ける。
【図面の簡単な説明】
【００１９】
【図１】地震避難用の椅子の実施例を示す側面図である。
【図２】地震避難用の椅子の実施例を示す斜視図である。
【図３】地震避難用の椅子の実施例を示す側面図である。
【図４】地震避難用の椅子の実施例を示す正面図である。
【図５】地震避難用の椅子の実施例を示す斜視図である。
【図６】地震避難用の椅子の実施例を示す斜視図である。
【図７】地震避難用の椅子の実施例を示す側面図である。
【図８】地震避難用の椅子の実施例を示す側面図である。
【図９】地震避難用の椅子の実施例を示す側面図である。
【図１０】地震避難用の椅子の実施例を示す斜視図である。
【図１１】地震避難用の椅子の実施例を示す斜視図である。
【図１２】地震避難用の椅子の実施例を示す側面図である。
【図１３】地震避難用の椅子の実施例を示す斜視図である。
【図１４】地震避難用の椅子の実施例を示す斜視図である。
【図１５】地震避難用の椅子の実施例を示す断面図である。
【図１６】地震避難用の椅子の実施例を示す断面図である。
【符号の説明】
【００２０】１      シート
２      脚フレーム
３      脚ａ
４      脚ｂ
５      座椅子
６      支点
７      作用点
８      力点
９      緩衝材
１０    子供
１１    背もたれ
１２    座部
１３    脚部
１４    肘掛け
１５    支柱
１６    ネジ
【図１】
2008206934.tif 000003
【図２】
2008206934.tif 000004
【図３】
2008206934.tif 000005
【図４】
2008206934.tif 000006
【図５】
2008206934.tif 000007
【図６】
2008206934.tif 000008
【図７】
2008206934.tif 000009
【図８】
2008206934.tif 000010
【図９】
2008206934.tif 000011
【図１０】
2008206934.tif 000012
【図１１】
2008206934.tif 000013
【図１２】
2008206934.tif 000014
【図１３】
2008206934.tif 000015
【図１４】
2008206934.tif 000016
【図１５】
2008206934.tif 000017
【図１６】
2008206934.tif 000018
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
前脚２本と後脚２本を設けて前後どちらかの脚部と座部にシートを設けた椅子で、座部と脚部のシート、座部と脚部のシートと脚は一体でもよく、シートの座部裏側と頭の間に後頭部をあてる緩衝材を設けて、前脚もしくは後脚を両肩もしくは両腕上腕に載せて尾側の前側で前腕もしくは手で支持できる位置に設け、脚部に前側で抱いた子供やペットと頭部を一緒にカバーする大きさのシートを設け、頭部とシートの間に空間を設けた地震避難用の椅子。
【請求項２】
後脚２本と前側を支える脚フレームを設けて、座部と前側の脚部に一体で成形したシートを設けた椅子で、シートは脚と一体でもよく、シートの座部裏側と頭の間に後頭部をあてる緩衝材を設けて、後脚を両肩もしくは両腕上腕に載せて尾側の前側で前腕もしくは手で支持できる位置に設け、脚部に前側で抱いた子供やペットと頭部を一緒にカバーする大きさのシートを設け、頭部とシートの間に空間を設けた地震避難用の椅子。
【請求項３】
請求項１もしく請求項２記載の地震避難用の椅子において頭部とシートの間に設けた空間に緩衝材を設けた地震避難用の椅子。
【手続補正２】
【補正対象書類名】明細書
【補正対象項目名】全文
【補正方法】変更
【補正の内容】
【発明の詳細な説明】
【技術分野】
【０００１】本発明は、椅子をテコにして身体に装着してシートと頭の間に空間を設けた地震避難用の椅子に関するものである。
【背景技術】
【０００２】従来、椅子は座部と背もたれとからなるシートに脚を設け、人が座るためのものである。また落下物から身を守る道具として頭にかぶるヘルメットや防災頭巾がある。
【発明の開示】
【発明が解決しようとする課題】
【０００３】これは、次のような欠点がありました。地震で倒れて散乱した椅子は避難を妨げる障害物になってしまいます。また地震の予知がされて避難する時、多くの場所では落下物から身を守るためのヘルメットや防災頭巾が用意されていません。また子供やペットを連れて避難する場合、子供やペットを抱いた状態で落下物から身を守るためのものがありません。本発明は以上のような欠点をなくすためになされたものである。
【課題を解決するための手段】
【０００４】両肩もしくは両腕上腕に椅子の脚を載せて座部と脚部にシートを設けた椅子をテコにして身体に装着してシートと頭の間に空間を設ける。
【発明の効果】
【０００５】この地震避難用の椅子は、いろいろな場所に設置することができ、地震で避難する時に倒れて障害物になってしまった椅子を使って落下物から身体を守り、ダメージを受け易い頭や首を守り、前腕と手で子供やペットを抱きかかえて守りながら避難することができる。また避難した場所では椅子として使うことができる。
【発明を実施するための最良の形態】
【実施例１】
【０００６】図１、２に示した実施例では、左右一対の脚フレーム（２）の後脚（３）を両肩に載せて支点（６）を設けて、両脇を絞めて両手で胸の前で後脚（３）を取っ手にして力点（８）を設けて、座部（１２）の裏側を後頭部に押しあてる作用点（７）を設け、脚部（１３）の裏側と頭の間に空間を設けるように、合板を曲げた脚フレーム（２）の座部（１２）と脚部（１３）に合板のシート（１）をＬ字型に接着剤で固定したシート（１）の座部裏側にスポンジやウレタンやゴムや布や紙等の緩衝材（９）を接着して取り付けた地震避難用の椅子である。
【実施例２】
【０００７】図３、４に示した実施例では、シート（１）の座部裏側にスポンジやウレタンやゴムや布や紙等の緩衝材（９）を接着して後頭部に押しあてて作用点（７）を設け、脚部（１３）の裏側と頭の間に空間を設けるように、１枚の合板を曲げて脚部（１３）と座部（１２）をＬ字型に設け、左右一対の鉄パイプの脚フレーム（２）に鉄板にネジ穴を開けた複数本の支柱（１４）を熔接してシート（１）をネジ（５）で取り付けた地震避難用の椅子である。
【実施例３】
【０００８】図５に示した実施例では、Ｌ字型の座部（１２）と脚部（１３）に背もたれ（１１）を合成樹脂で成形している。この合成樹脂としては、ＰＰ（ポリプロピレン）やバイオプラスチック等を用いる。またシート（１）の座部裏側に緩衝材（９）としてウレタンフォームを積層してクロスやレザーで外面を覆うこともできる。鉄パイプの脚フレーム（２）に鉄板にネジ穴を設けた支柱（１４）を熔接して、シート（１）をネジ（５）でとりつける。
【実施例４】
【０００９】図６に示した実施例では、１枚の合板を曲げてＬ字型の座部（１２）と脚部（１３）を設け、左右一対のアルミパイプの脚フレーム（２）に、アルミ板の支柱（１４）とアルミパイプの背もたれ（１１）を、シート（１）をネジ（５）で取り付けるフレームとして熔接して取り付ける。その時シート（１）の座部裏側にスポンジやウレタンやゴムや布や紙等の緩衝材（９）を接着して取り付ける。
【実施例５】
【００１０】図７に示した実施例では、２本の後脚（３）を両腕上腕に載せて支点（６）を設け、前腕を後脚（３）の外側から上に載せて力点（８）を設け、前腕と手を使って胸の前で子供やペットを抱きかかえる。
【実施例６】
【００１１】図８に示した実施例では、シート（１）を取り付ける支柱（１４）もしくはフレームにネジ（５）でスポンジやウレタンやゴムや布や紙等の緩衝材（９）を取り付け後頭部にやさしく押し当てることができる。
【実施例７】
【００１２】図９に示した実施例では、シート（１）の裏側にスポンジや布や紙や軟質プラスチック等の緩衝材（９）を接着剤やネジで取り付ける。これらは穴や隙間をあけて軽量化して成形したアルミや合板のシートではガラスの破片などの細かな落下物を通さなくする。また身体との接地箇所を増やして装着したときに安定する。
【実施例８】
【００１３】図１０に示した実施例は、脚フレーム（２）にＬ型のシート（１）をプラスチックで一体成形しシート（１）の座部裏側にスポンジやウレタンやゴムや布や紙等の緩衝材（９）を接着したものである。
【実施例９】
【００１４】図１１に示した実施例では、一本のチタンの棒材を曲げて脚フレーム（２）と背もたれ（１１）を設けて、合板のシート（１）をＬ字型に曲げて、座部（１２）と脚部（１３）に、ネジ穴を設けた支柱（１４）を熔接してネジ（５）でシート（１）の座部裏側に緩衝材（９）を取り付ける。
【実施例１０】
【００１５】図１２に示した実施例では、一本の鉄パイプを曲げて後脚（３）と背もたれ（１１）を設けて、ツキ板でＬ字型のシート（１）に木製の前脚（４）と座部裏側に緩衝材（９）を設けて、後脚（３）に熔接した支柱（１４）にネジ（５）で取り付ける。
【実施例１１】
【００１６】図１３に示した実施例では、左右一対の木製の脚フレーム（２）とシート（１）を支持する木製の支柱（１４）に後頭部を押し付ける緩衝材（９）を設ける。
【図面の簡単な説明】
【００１７】
【図１】地震避難用の椅子の実施例を示す側面図である。
【図２】地震避難用の椅子の実施例を示す斜視図である。
【図３】地震避難用の椅子の実施例を示す側面図である。
【図４】地震避難用の椅子の実施例を示す正面図である。
【図５】地震避難用の椅子の実施例を示す斜視図である。
【図６】地震避難用の椅子の実施例を示す斜視図である。
【図７】地震避難用の椅子の実施例を示す側面図である。
【図８】地震避難用の椅子の実施例を示す側面図である。
【図９】地震避難用の椅子の実施例を示す側面図である。
【図１０】地震避難用の椅子の実施例を示す斜視図である。
【図１１】地震避難用の椅子の実施例を示す斜視図である。
【図１２】地震避難用の椅子の実施例を示す斜視図である。
【図１３】地震避難用の椅子の実施例を示す断面図である。
【図１４】地震避難用の椅子の実施例を示す断面図である。
【符号の説明】
【００１８】１      シート
２      脚フレーム
３      後脚
４      前脚
５      ネジ
６      支点
７      作用点
８      力点
９      緩衝材
１０    子供
１１    背もたれ
１２    座部
１３    脚部
１４    支柱
【手続補正３】
【補正対象書類名】図面
【補正対象項目名】全図
【補正方法】変更
【補正の内容】
【図１】
2008206934.tif 000019
【図２】
2008206934.tif 000020
【図３】
2008206934.tif 000021
【図４】
2008206934.tif 000022
【図５】
2008206934.tif 000023
【図６】
2008206934.tif 000024
【図７】
2008206934.tif 000025
【図８】
2008206934.tif 000026
【図９】
2008206934.tif 000027
【図１０】
2008206934.tif 000028
【図１１】
2008206934.tif 000029
【図１２】
2008206934.tif 000030
【図１３】
2008206934.tif 000031
【図１４】
2008206934.tif 000032